(57)【要約】【課題】ガバナシーブにおけるグリスの固着を抑制することができるエレベータ用ガバナ装置を提供すること。【解決手段】実施形態のエレベータ用ガバナ装置１−１は、ガバナロープ１４と、ガバナシーブ１２と、発電機２０と、ヒーター１６Ａ，１６Ｂとを備える。ガバナロープは、エレベータの乗りかごに連結され、乗りかごの走行によって牽引される。ガバナシーブは、ガバナロープが巻き掛けられ、かごの走行時にガバナロープによって回転駆動される。発電機は、ガバナシーブの回転によって駆動されることで発電する。ヒーターは、発電機が発電した電力によってガバナシーブを加熱する。【選択図】図３
2012180148.tif 000002
【特許請求の範囲】
【請求項１】
エレベータの乗りかごに連結され、前記乗りかごの走行によって牽引されるガバナロープと、
前記ガバナロープが巻き掛けられ、前記乗りかごの走行時に前記ガバナロープによって回転駆動されるガバナシーブと、
前記ガバナシーブの回転によって駆動されることで発電する発電機と、
前記発電機が発電した電力によって前記ガバナシーブを加熱するヒーターと、
を備えることを特徴とするエレベータ用ガバナ装置。
【請求項２】
更に、前記ヒーターの温度を検出する温度センサを備え、
前記温度センサの検出結果に基づいて前記ヒーターの異常を検出した場合、前記ヒーターによる加熱を停止する
請求項１に記載のエレベータ用ガバナ装置。
【請求項３】
更に、充放電可能なバッテリを備え、
気温が高い場合、あるいは前記エレベータの作動頻度が高い場合の少なくともいずれか一方において前記発電機が発電した電力を前記バッテリに蓄電し、
気温が低い場合、あるいは前記エレベータの作動頻度が低い場合の少なくともいずれか一方において前記バッテリから前記ヒーターに電力を供給する
請求項１または２に記載のエレベータ用ガバナ装置。
【請求項４】
更に、蓄熱材を有し、かつ前記ガバナシーブおよび前記ヒーターを覆うカバーを備える
請求項１から３のいずれか１項に記載のエレベータ用ガバナ装置。
【発明の詳細な説明】
【技術分野】
【０００１】
本発明の実施形態は、エレベータ用ガバナ装置に関する。
【背景技術】
【０００２】
従来、ガバナ装置を備えたエレベータが知られている。
【先行技術文献】
【特許文献】
【０００３】
【特許文献１】特開２００９−１１３８９１号公報
【発明の概要】
【発明が解決しようとする課題】
【０００４】
ガバナ装置のガバナシーブには、乗りかごと連結されたガバナロープが巻き掛けられている。ガバナシーブにおいて、ガバナロープと接する溝部には、ガバナロープのグリスが付着することがある。このグリスが溝部に固着すると、ガバナシーブに設けられたパルスジェネレータのパルスずれ等が生じる虞がある。
【０００５】
本発明の目的は、ガバナシーブにおけるグリスの固着を抑制することができるエレベータ用ガバナ装置を提供することである。
【課題を解決するための手段】
【０００６】
実施形態のエレベータ用ガバナ装置は、ガバナロープと、ガバナシーブと、発電機と、ヒーターとを備える。ガバナロープは、エレベータの乗りかごに連結され、乗りかごの走行によって牽引される。ガバナシーブは、ガバナロープが巻き掛けられ、乗りかごの走行時にガバナロープによって回転駆動される。発電機は、ガバナシーブの回転によって駆動されることで発電する。ヒーターは、発電機が発電した電力によってガバナシーブを加熱する。
【図面の簡単な説明】
【０００７】
【図１】図１は、第１の実施形態に係るエレベータの概略構成図である。
【図２】図２は、第１の実施形態に係るガバナ装置の要部正面図である。
【図３】図３は、第１の実施形態に係るガバナ装置の要部断面図である。
【図４】図４は、第２の実施形態に係るガバナ装置の要部正面図である。
【図５】図５は、第２の実施形態に係るガバナ装置の要部断面図である。
【図６】図６は、第３の実施形態に係るガバナ装置の要部正面図である。
【図７】図７は、第３の実施形態に係るガバナ装置の要部断面図である。
【図８】図８は、第４の実施形態に係るガバナ装置の要部正面図である。
【図９】図９は、第４の実施形態に係るガバナ装置の要部断面図である。
【発明を実施するための形態】
【０００８】
以下に、実施形態に係るエレベータ用ガバナ装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【０００９】
［第１の実施形態］
図１から図３を参照して、第１の実施形態について説明する。本実施形態は、エレベータ用ガバナ装置に関する。図１は、第１の実施形態に係るエレベータの概略構成図、図２は、本実施形態に係るエレベータ用ガバナ装置の要部を示す正面図、図３は、本実施形態に係るエレベータ用ガバナ装置の要部を示す断面図である。
【００１０】
本実施形態のエレベータ用ガバナ装置１−１は、ガバナシーブ１２の回転エネルギーを発電機２０による発電に利用する。発電機２０によって発電された電力は、ガバナシーブ１２の近傍に配置されたヒーター１６Ａ，１６Ｂを駆動し、ガバナシーブ１２を暖める。本実施形態のエレベータ用ガバナ装置１−１によれば、ガバナシーブ１２を暖めることにより、ガバナシーブ１２におけるグリスの固着を抑制することができる。
【００１１】
図１に示すように、エレベータ１００は、巻上機１、そらせシーブ２、メインロープ３、エレベータかご４、つり合いおもり５およびエレベータ用ガバナ装置１−１を備える。メインロープ３は、巻上機１およびそらせシーブ２に掛け渡されている。メインロープ３の一端部には、乗りかごとしてのエレベータかご４、他端部には、つり合いおもり５がそれぞれ吊り下げられている。巻上機１およびそらせシーブ２は、機械室６に配置されている。なお、機械室６を設けない場合には、巻上機１およびそらせシーブ２は、昇降路上部の適宜な個所に設置される。なお、図１に示すエレベータ１００は、本実施形態のエレベータ用ガバナ装置１−１が適用可能なものの一例である。本実施形態のエレベータ用ガバナ装置１−１は、他のつるべ式のエレベータに適用可能である。
【００１２】
エレベータ用ガバナ装置１−１は、エレベータかご４またはつり合いおもり５の速度が規定値以上になったことを検出し、減速制御を実行し、もしくは非常止め装置を動作させる調速器である。
【００１３】
エレベータ用ガバナ装置１−１は、ガバナ本体部１１、ガバナテンショナー１３、ガバナロープ１４および連結部材１５を備える。ガバナ本体部１１は、機械室６または昇降路上部などの適宜な個所に設置される。ガバナ本体部１１は、回転自在に支持されたガバナシーブ１２を有する。ガバナテンショナー１３は、テンションシーブ１３Ａおよびおもり１３Ｂを有しており、昇降路のピット下部に設置されている。おもり１３Ｂは、テンションシーブ１３Ａにつり下げられている。ガバナシーブ１２とテンションシーブ１３Ａとには無端のガバナロープ１４が掛け渡されている。
【００１４】
連結部材１５は、ガバナロープ１４とエレベータかご４とを連結している。エレベータかご４が昇降路を昇降すると、エレベータかご４の昇降と連動して連結部材１５が昇降し、ガバナロープ１４をエレベータかご４の昇降方向、すなわち上下方向に駆動する。つまり、ガバナロープ１４は、エレベータかご４の走行によって上下方向に牽引される。ガバナシーブ１２は、牽引されるガバナロープ１４との摩擦力によって回転する。これにより、ガバナシーブ１２は、エレベータかご４の走行時に、エレベータかご４の昇降方向の移動に応じてガバナロープ１４によって回転駆動されることとなる。
【００１５】
エレベータ用ガバナ装置１−１は、パルスジェネレータおよびガバナスイッチを有する。パルスジェネレータは、ガバナシーブ１２の回転に応じてパルス信号を生成するものである。エレベータ１００の制御装置は、パルスジェネレータが生成するパルス信号に基づいてエレベータかご４の位置を取得することができる。ガバナスイッチは、エレベータかご４の昇降速度が所定の速度を超えると作動するスイッチである。ガバナスイッチは、例えば、ガバナシーブ１２に発生する遠心力によって作動する。ガバナスイッチが作動すると、巻上機１に対する電源の供給を遮断することなどにより、エレベータかご４が停止される。また、エレベータ用ガバナ装置１−１は、ガバナロープ１４を挾持することによってエレベータかご４を制動することも可能である。
【００１６】
以下に図３を参照して説明するように、ガバナシーブ１２の外周は、溝部１２Ａを有する。ガバナロープ１４は、この溝部１２Ａに巻き掛けられている。ここで、ガバナロープ１４のグリスが固着して溝部１２Ａに溜まると、パルスジェネレータのパルスずれ等が生じる虞がある。従来は、グリスの固着に対して、固着したグリスを清掃することで対応しているが、清掃には多大な時間と労力を必要とする。溝部１２Ａの清掃は、例えば、保守・点検時に溝部１２Ａにグリスが多量に付着している場合に実行される。しかし、ガバナロープ１４の使用年数や昇降路内の環境等によってロープグリースの状態は異なり、溝部１２Ａにおけるグリスの堆積状態も異なる。グリスの堆積が生じやすい状況下では、保守・点検のスパン内において溝部１２Ａにグリスが堆積し、パルスジェネレータのパルスずれやガバナスイッチの誤動作を引き起こす虞がある。
【００１７】
また、保守・点検時に堆積したグリスを取り除く方法では、保守・点検時に溝部１２Ａの確認を忘れた場合には適切に対応できない虞がある。また、グリスの固着は、冬場など気温が低くグリスの粘性が上がるときに多く発生する。冬期の気温低下によりグリスの粘性が増加して堆積が生じやすくなった場合に、保守・点検の実施スパンでの清掃では適切に対応できない虞がある。
【００１８】
本実施形態のエレベータ用ガバナ装置１−１は、ガバナシーブ１２を加熱するヒーター１６（１６Ａ，１６Ｂ）を備えている。ヒーター１６によってガバナシーブ１２を暖めることによって、ガバナシーブ１２におけるグリスの固着を抑制し、溝部１２Ａにグリスが溜まることを抑制することができる。
【００１９】
また、本実施形態のエレベータ用ガバナ装置１−１は、ガバナシーブ１２の回転によって駆動されることで発電する発電機２０を備える。ヒーター１６は、発電機２０が発電した電力によって駆動されて発熱し、ガバナシーブ１２を加熱する。本実施形態のエレベータ用ガバナ装置１−１は、エレベータかご４の運動エネルギーを熱に変換してガバナシーブ１２を暖めることができるため、ガバナシーブ１２に対する加熱に伴うエレベータ１００の消費エネルギーの増加を抑制することができる。
【００２０】
図３には、図２のＡ−Ａ断面が示されている。図２および図３に示すように、ガバナ本体部１１は、ガバナシーブ１２、ヒーター１６、支持部材１７Ａ，１７Ｂ、回転軸１８、発電機２０、ブラケット２１を有する。
【００２１】
図３に示すように、ガバナシーブ１２の外周は、軸方向の中央部が軸方向の両端部よりも小径となった溝部１２Ａを有する。溝部１２Ａの断面形状は、径方向内側に向けて湾曲する円弧状である。溝部１２Ａには、ガバナロープ１４が巻き掛けられている。
【００２２】
なお、本明細書では、特に記載のない限り、「軸方向」とはガバナシーブ１２の軸方向を示し、「径方向」とはガバナシーブ１２の径方向、すなわちガバナシーブ１２の中心軸線Ｘに対して直交する方向を示すものとする。
【００２３】
支持部材１７Ａ，１７Ｂは、それぞれ昇降路の上部に固定されており、互いに対向している。ガバナシーブ１２は、支持部材１７Ａと支持部材１７Ｂとの間に配置されている。つまり、支持部材１７Ａ，１７Ｂは、ガバナシーブ１２を挟んで軸方向において互いに対向している。回転軸１８は、ガバナシーブ１２の中心部に形成された孔部１２Ｂに嵌合しており、ガバナシーブ１２と一体に回転することができる。回転軸１８の両端部は、支持部材１７Ａ，１７Ｂのそれぞれによって回転可能に支持されている。つまり、ガバナシーブ１２は、支持部材１７Ａ，１７Ｂによって回転自在に支持されている。
【００２４】
支持部材１７Ａ，１７Ｂにおけるガバナシーブ１２側の面には、それぞれヒーター１６Ａ，１６Ｂが配置されている。ヒーター１６Ａ，１６Ｂは、軸方向視において略矩形の形状であり、一辺の長さがガバナシーブ１２の直径に対応している。支持部材１７Ａに配置されたヒーター１６Ａと、支持部材１７Ｂに配置されたヒーター１６Ｂとは、ガバナシーブ１２を挟んで軸方向において互いに対向している。図２に示すように、軸方向視において、ヒーター１６Ａ，１６Ｂは、ガバナシーブ１２の側面の略全体と重なっている。ヒーター１６Ａ，１６Ｂは、取付け部材１９を介して支持部材１７Ａ，１７Ｂに固定されている。取付部材１９は、固定ボルト１９Ａによって支持部材１７Ａ，１７Ｂに固定されている。
【００２５】
ヒーター１６Ａ，１６Ｂは、パネルヒーターであり、例えば、電力を熱に変換して発熱する発熱体が面状に配置されている。ヒーター１６Ａ，１６Ｂによって軸方向の両側からガバナシーブ１２を加熱することで、ガバナシーブ１２の全体を暖めることが可能である。
【００２６】
ヒーター１６Ａ，１６Ｂは、電力の供給を受けると、予め定められた所定温度で発熱するように作動する。この所定温度は、例えば、グリスの温度特性、すなわちグリスの粘性と温度との関係に基づいて定められたものである。所定温度は、例えば、ヒーター１６Ａ，１６Ｂが所定温度を発生させたときにガバナシーブ１２に付着したグリスの粘性が低下し、ガバナロープ１４に吸着されることが可能な粘性となるように定められる。
【００２７】
発電機２０は、支持部材１７Ａにおけるガバナシーブ１２側と反対側にブラケット２１を介して取付けられている。発電機２０は、回転軸１８の軸端部に配置されている。発電機２０は、回転軸１８に連結されたロータ（回転子）と、ロータの径方向外側に配置されたステータ（固定子）とを有する。ロータは、回転軸１８と同軸上に配置されており、回転軸１８と一体回転する。ガバナシーブ１２の回転と連動して回転軸１８が回転すると、発電機２０のロータが回転駆動される。これにより、ロータがステータに対して相対回転することで、発電機２０において発電がなされる。つまり、発電機２０は、ガバナシーブ１２の回転によって駆動されることで発電することができる。
【００２８】
発電機２０とヒーター１６Ａ，１６Ｂとは電気的に接続されており、発電機２０が発電した電力はヒーター１６Ａ，１６Ｂの動力となる。ヒーター１６Ａ，１６Ｂは、発電機２０が発電した電力によって発熱し、ガバナシーブ１２を加熱する。
【００２９】
本実施形態のエレベータ用ガバナ装置１−１では、エレベータかご４が昇降するときに発電機２０によって発電がなされ、ヒーター１６Ａ，１６Ｂによってガバナシーブ１２が加熱される。これにより、ガバナシーブ１２の溝部１２Ａに付着したグリスの粘性を低下させ、ガバナロープ１４に吸着させることで、溝部１２Ａにグリスが溜まることが抑制される。また、本実施形態では、ガバナロープ１４が上下方向に移動してガバナシーブ１２を回転駆動するときにガバナシーブ１２を温めてガバナシーブ１２に付着したグリスの粘性を下げることができる。これにより、ガバナシーブ１２における周方向の各部に付着したグリスをガバナロープ１４の各部に吸着させることでグリスの固着を抑制し、溝部１２Ａにグリスが溜まることを抑制することが可能となる。
【００３０】
本実施形態のエレベータ用ガバナ装置１−１によれば、エレベータ１００が作動してエレベータかご４が昇降するごとにガバナシーブ１２を暖めることができる。よって、溝部１２Ａに付着したグリスが堆積する前に暖めて粘性を下げることで、溝部１２Ａにグリスが堆積することを未然に抑制することができる。
【００３１】
［第２の実施形態］
図４および図５を参照して、第２の実施形態について説明する。第２の実施形態については、上記実施形態で説明したものと同様の機能を有する構成要素には同一の符号を付して重複する説明は省略する。図４は、第２の実施形態に係るエレベータ用ガバナ装置の要部を示す正面図、図５は、第２の実施形態に係るエレベータ用ガバナ装置の要部を示す断面図である。
【００３２】
本実施形態のエレベータ用ガバナ装置１−２において、上記第１の実施形態のエレベータ用ガバナ装置１−１と異なる点は、温度センサを備え、温度センサの検出結果に基づいてヒーター１６Ａ，１６Ｂの異常を検出した場合、ヒーター１６Ａ，１６Ｂによる加熱を停止する点である。
【００３３】
図４および図５に示すように、エレベータ用ガバナ装置１−２は、温度センサ２２を備える。温度センサ２２は、ヒーター１６Ａ，１６Ｂの近傍に配置される。本実施形態では、温度センサ２２は、支持部材１７Ａにおけるガバナシーブ１２側でかつヒーター１６Ａの上側に配置されている。
【００３４】
エレベータ用ガバナ装置１−２は、制御装置３０を備えている。制御装置３０は、温度センサ２２と接続されており、温度センサ２２の検出結果を示す信号を受信する。また、制御装置３０は、ヒーター１６Ａ，１６Ｂと接続されており、ヒーター１６Ａ，１６Ｂを制御することができる。
【００３５】
温度センサ２２は、ヒーター１６Ａ，１６Ｂの近傍に設置されており、ヒーター１６Ａ，１６Ｂの温度を検出することができる。従って、制御装置３０は、温度センサ２２の検出結果に基づいてヒーター１６Ａ，１６Ｂの温度を取得することができる。制御装置３０は、ヒーター１６Ａ，１６Ｂの動作中に温度センサ２２によって検出された温度が閾値よりも高温となった場合、ヒーター１６Ａ，１６Ｂによる加熱を停止する。制御装置３０は、例えば、ヒーター１６Ａ，１６Ｂの電源をカットするなど、発電機２０からヒーター１６Ａ，１６Ｂに対する電力の供給経路を遮断することによってヒーター１６Ａ，１６Ｂによる加熱を停止する。閾値は、例えば、ヒーター１６Ａ，１６Ｂが作動するときの所定温度（設定温度）とすることができる。
【００３６】
本実施形態のエレベータ用ガバナ装置１−２によれば、ヒーター１６Ａ，１６Ｂが故障等の異常によって設定温度よりも高温となるような場合に対して、異常を検知してヒーター１６Ａ，１６Ｂによる加熱を停止する。よって、ガバナシーブ１２におけるグリスの固着を抑制することができるだけでなく、ガバナシーブ１２における過度の温度上昇を抑制することができる。
【００３７】
［第３の実施形態］
図６および図７を参照して、第３の実施形態について説明する。第３の実施形態については、上記各実施形態で説明したものと同様の機能を有する構成要素には同一の符号を付して重複する説明は省略する。図６は、第３の実施形態に係るエレベータ用ガバナ装置の要部を示す正面図、図７は、第３の実施形態に係るエレベータ用ガバナ装置の要部を示す断面図である。本実施形態のエレベータ用ガバナ装置１−３において、上記各実施形態のエレベータ用ガバナ装置１−１，１−２と異なる点は、バッテリを備え、ガバナシーブ１２の回転エネルギーにより発電する電力の一部または全部を蓄電する点である。
【００３８】
図６および図７に示すように、エレベータ用ガバナ装置１−３は、バッテリ２３を備える。バッテリ２３は、充放電可能な蓄電装置である。バッテリ２３は、発電機２０と接続されており、発電機２０で発電された電力を蓄電することができる。また、バッテリ２３は、ヒーター１６Ａ，１６Ｂと接続されており、ヒーター１６Ａ，１６Ｂに対して電力を供給することができる。なお、バッテリ２３は、発電機２０によって発電された電力を蓄電することなく直接ヒーター１６Ａ，１６Ｂに対して供給することも可能である。
【００３９】
バッテリ２３は、充放電を制御する制御部２３Ａを有している。制御部２３Ａは、発電機２０で発電された電力を蓄電するか否か、および蓄電するときの蓄電量を制御することができる。また、制御部２３Ａは、ヒーター１６Ａ，１６Ｂに対する電力の供給を制御することができる。
【００４０】
制御部２３Ａは、気温あるいは時刻の少なくともいずれか一方に基づいて、充放電を制御することができる。例えば、制御部２３Ａは、日中など気温が高い状況、あるいはエレベータ１００の作動頻度が高い時間帯の少なくともいずれか一方において、発電機２０で発電された電力を蓄電することをヒーター１６Ａ，１６Ｂに対する電力の供給よりも優先する。一方、制御部２３Ａは、夜間など気温が低い状況、あるいはエレベータ１００の作動頻度が低い時間帯の少なくともいずれか一方において、ヒーター１６Ａ，１６Ｂに対する電力の供給を発電機２０で発電された電力を蓄電することよりも優先する。
【００４１】
なお、気温が高い、あるいは気温が低いとは、例えば、グリスの温度特性に基づく。一例として、グリスの粘性が低くガバナシーブ１２の溝部１２Ａにグリスが堆積しにくい気温は、「高い気温」とすることができる。また、グリスの粘性が高く溝部１２Ａにグリスが堆積しやすい気温は、「低い気温」とすることができる。
【００４２】
制御部２３Ａは、バッテリ２３における蓄電をヒーター１６Ａ，１６Ｂに対する電力供給よりも優先する場合、発電機２０により発電された電力の少なくとも一部をバッテリ２３に蓄電する。バッテリ２３への蓄電を優先することには、蓄電のみを行い、ヒーター１６Ａ，１６Ｂに対する電力の供給を行わないことを含む。
【００４３】
一方、制御部２３Ａは、ヒーター１６Ａ，１６Ｂに対する電力供給をバッテリ２３における蓄電よりも優先する場合、発電機２０の発電時には発電された電力をヒーター１６Ａ，１６Ｂに供給し、発電時以外には、バッテリ２３に蓄電した電力をヒーター１６Ａ，１６Ｂに対して供給する。なお、発電機２０の発電時にヒーター１６Ａ，１６Ｂに電力を供給して余剰が生じる場合、その余剰分の電力を蓄電するようにしてもよい。また、ヒーター１６Ａ，１６Ｂの要求電力に対して発電機２０の発電量が不足する場合、バッテリ２３が不足分の電力を補助するようにしてもよい。
【００４４】
本実施形態のエレベータ用ガバナ装置１−３によれば、エレベータ１００を使用する状況に合わせてヒーター１６Ａ，１６Ｂを作動させることが可能となる。例えば、展望用エレベータのように日中は昇降路内の温度が上昇し、夜間の気温低下が激しい場合において、昼間の走行により蓄電した電力を使用して、気温が低下し、更に起動回数も減少する夜間の時間帯にパネル型ヒーター１６Ａ，１６Ｂを作動することができる。よって、発電機２０で発電された電力を有効に活用してガバナシーブ１２におけるロープグリースの固着・堆積を効果的に抑制することができる。
【００４５】
［第４の実施形態］
図８および図９を参照して、第４の実施形態について説明する。第４の実施形態については、上記各実施形態で説明したものと同様の機能を有する構成要素には同一の符号を付して重複する説明は省略する。図８は、第４の実施形態に係るエレベータ用ガバナ装置の要部を示す正面図、図９は、第４の実施形態に係るエレベータ用ガバナ装置の要部を示す断面図である。本実施形態のエレベータ用ガバナ装置１−４において、上記各実施形態のエレベータ用ガバナ装置１−１，１−２，１−３と異なる点は、蓄熱材２５を有し、かつガバナシーブ１２およびヒーター１６Ａ，１６Ｂを覆うカバー２４を備える点である。
【００４６】
カバー２４は、中空の直方体の一面を開放した形状である。カバー２４は、ガバナシーブ１２およびヒーター１６Ａ，１６Ｂの上方および側方を覆っており、下方は開放している。カバー２４の天井面は、支持部材１７Ａ，１７Ｂの上端において支持部材１７Ａ，１７Ｂに固定されている。カバー２４の下端は、ガバナシーブ１２の下端およびヒーター１６Ａ，１６Ｂの下端のいずれよりも下方に位置している。つまり、ガバナシーブ１２およびヒーター１６Ａ，１６Ｂの全体がカバー２４内に収納されている。
【００４７】
より具体的には、図９に示すように、カバー２４は、支持部材１７Ａ，１７Ｂを挟んで軸方向において互いに対向するカバー構成部（以下、「第一構成部」と記載する。）２４Ａ，２４Ｂを有する。第一構成部２４Ａ，２４Ｂは、ヒーター１６Ａ，１６Ｂおよびガバナシーブ１２を挟んで軸方向において互いに対向している。また、カバー２４は、支持部材１７Ａ，１７Ｂよりも上方に配置され、支持部材１７Ａ，１７Ｂの上端と径方向において対向する上部構成部２４Ｃを有する。上部構成部２４Ｃは、ガバナシーブ１２およびヒーター１６Ａ，１６Ｂの上方に位置しており、ガバナシーブ１２およびヒーター１６Ａ，１６Ｂと径方向において対向している。上部構成部２４Ｃは、第一構成部２４Ａ，２４Ｂの上端部を軸方向に接続している。
【００４８】
図８に示すように、カバー２４は、支持部材１７Ａ，１７Ｂを挟んで幅方向において対向するカバー構成部（以下、「第二構成部」と記載する。）２４Ｄ，２４Ｅを有する。ここで、「幅方向」とは、軸方向および上下方向のいずれとも直交する方向である。第二構成部２４Ｄ，２４Ｅは、ガバナシーブ１２およびヒーター１６Ａ，１６Ｂを挟んで幅方向において互いに対向している。上部構成部２４Ｃは、第二構成部２４Ｄ，２４Ｅの上端部を幅方向に接続している。
【００４９】
カバー２４の内壁面には、蓄熱材２５（２５Ａ，２５Ｂ，２５Ｃ，２５Ｄ）が配置されている。蓄熱材２５は、吸熱および放熱が可能な部材である。蓄熱材２５は、ヒーター１６Ａ，１６Ｂが発熱しているときや気温が高いときに吸熱し、ヒーター１６Ａ，１６Ｂが加熱を停止しているときや気温が低いときに蓄熱した熱を放熱することができる。
【００５０】
蓄熱材２５は、第一構成部２４Ａ，２４Ｂ、第二構成部２４Ｄ，２４Ｅ、上部構成部２４Ｃの内壁面にそれぞれ配置されている。図９に示すように、第一構成部２４Ａ，２４Ｂの内壁面に配置された蓄熱材２５Ａ，２５Ｂは、ガバナシーブ１２およびヒーター１６Ａ，１６Ｂを挟んで軸方向において互いに対向している。蓄熱材２５Ａ，２５Ｂの軸方向視における形状は、例えば、矩形である。本実施形態の蓄熱材２５Ａ，２５Ｂは、軸方向視においてガバナシーブ１２およびヒーター１６Ａ，１６Ｂの全体と重なっている。これにより、蓄熱材２５Ａ，２５Ｂは、ヒーター１６Ａ，１６Ｂが発する熱を効率的に蓄熱することができるとともに、蓄熱材２５Ａ，２５Ｂが放熱するときにはガバナシーブ１２の全体を暖めることができる。
【００５１】
上部構成部２４Ｃの内壁面に配置された蓄熱材２５Ｃは、ガバナシーブ１２およびヒーター１６Ａ，１６Ｂの上方に配置されており、ガバナシーブ１２およびヒーター１６Ａ，１６Ｂと径方向において対向している。軸方向における蓄熱材２５Ｃの長さは、軸方向におけるヒーター１６Ａとヒーター１６Ｂとの間隔に対応している。幅方向（図９における奥行き方向）における蓄熱材２５Ｃの長さは、例えば、ガバナシーブ１２の直径に対応している。上部構成部２４Ｃに蓄熱材２５Ｃが配置されていることで、ヒーター１６Ａ，１６Ｂが発する熱を蓄熱材２５Ｃによって効率よく蓄熱することができる。また、蓄熱材２５Ｃは、ガバナシーブ１２の溝部１２Ａと径方向において対向していることから、溝部１２Ａおよびガバナロープ１４を効率的に暖めることができる。
【００５２】
第二構成部２４Ｄに配置された蓄熱材２５Ｄは、幅方向においてガバナシーブ１２およびヒーター１６Ａ，１６Ｂと対向している。上下方向における蓄熱材２５Ｄの長さは、上下方向におけるヒーター１６Ａ，１６Ｂの長さおよびガバナシーブ１２の直径のいずれよりも大きい。また、軸方向における蓄熱材２５Ｄの長さは、軸方向における蓄熱材２５Ｃの長さと同様であり、ヒーター１６Ａとヒーター１６Ｂとの軸方向の間隔に対応している。図９に示すように、本実施形態の蓄熱材２５Ｄは、幅方向視においてガバナシーブ１２の全体と重なっている。これにより、蓄熱材２５Ｄによってガバナシーブ１２およびガバナロープ１４を効率的に暖めることができる。なお、第二構成部２４Ｅに配置された蓄熱材２５の配置および形状等は、蓄熱材２５Ｄと同様である。
【００５３】
本実施形態のエレベータ用ガバナ装置１−４によれば、蓄熱材２５を有するカバー２４を備えることで、ヒーター１６Ａ，１６Ｂにより発生した熱が外部に逃げにくくなり、ヒーター１６Ａ，１６Ｂによる暖房効果を持続させることができる。
【００５４】
なお、本実施形態では、カバー２４に蓄熱材２５が取付けられていたが、これに限定されるものではなく、カバー２４は、蓄熱機能を有していればよい。例えば、蓄熱機能を有する素材によってカバー２４が形成されていてもよい。
【００５５】
［実施形態の変形例］
上記の各実施形態では、ガバナシーブ１２と軸方向において対向してヒーター１６Ａ，１６Ｂが配置されたが、これに限定されるものではない。ヒーターは、例えば、ガバナシーブ１２と径方向において対向して配置されてもよい。一例として、ガバナシーブ１２の外周に沿ってガバナシーブ１２と同軸上にヒーターが配置されてもよい。
【００５６】
発電機２０の配置は、上記の各実施形態において説明したものには限定されない。例えば、上記実施形態では、発電機２０のロータは、回転軸１８と同軸上に配置されたが、これに限定されるものではない。ロータは、回転軸１８の回転と連動して回転するように、回転軸１８と動力を伝達可能に設けられていればよい。また、発電機２０のロータは、ガバナシーブ１２を介さずにガバナロープ１４によって回転駆動されるようにしてもよい。
【００５７】
上記の各実施形態において、エレベータかご４の走行制御と協調して発電機２０による発電を制御するようにしてもよい。例えば、巻上機１が制動動作を行うときに、その制動動作と連動して発電機２０に発電を行わせるようにしてもよい。
【００５８】
上記の各実施形態に開示された内容は、適宜組み合わせて実行することができる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１−１，１−２，１−３，１−４  エレベータ用ガバナ装置
４  エレベータかご
１２  ガバナシーブ
１４  ガバナロープ
１６（１６Ａ，１６Ｂ）  ヒーター
２０  発電機
２３  バッテリ
２４  カバー
２５  蓄熱材
１００  エレベータ
【図１】
2012180148.tif 000003
【図２】
2012180148.tif 000004
【図３】
2012180148.tif 000005
【図４】
2012180148.tif 000006
【図５】
2012180148.tif 000007
【図６】
2012180148.tif 000008
【図７】
2012180148.tif 000009
【図８】
2012180148.tif 000010
【図９】
2012180148.tif 000011